(57)【要約】【課題】サーマルヘッドと熱転写リボンテープとを具えたサーマルヘッドプリンタユニットにおいて、プリンタユニットを前記熱転写リボンテープの幅方向に変位させる簡単な機構を採用したプリンタユニットを提供する。【解決手段】サーマルヘッド９と熱転写リボンテープ１４とを具えたプリンタユニット１０であって、プリンタユニット１０は、サーマルヘッド９を熱転写リボンテープ１４の幅方向に変位させるためのモータ６と、プリンタユニット１０の位置を検出するポジションセンサー１２とを備えている。駆動装置は位置検出器からの位置信号に基づいて制御されるように構成してある。プリンタユニット１０は、取付金具ベース１側に設けられたラックギア２に噛み合い、モータ６によって回転されるピニオンギア３によって熱転写リボンテープ１４の幅方向に変位される。【選択図】　　　　　　図１
2004142137.tif 000002
【特許請求の範囲】
【請求項１】
サーマルヘッドと熱転写リボンテープとを具えたプリンタユニットであって、同プリンタユニットは、前記プリンタユニットを前記熱転写リボンテープの幅方向に変位させるための駆動装置と、前記プリンタユニットの位置を検出する位置検出器とを備え、前記駆動装置は前記位置検出器からの位置信号に基づいて制御され、自走式となるように構成したことを特徴とするサーマルヘッドプリンタユニット。
【請求項２】
前記駆動装置が、モータと、同モータによって回転され取付金具ベース側に設けられたラックと噛み合うピニオンと、を有してなることを特徴とする請求項１に記載のサーマルヘッドプリンタユニット。
【請求項３】
前記位置検出器が、前記取付金具ベース側又は前記プリンタユニット側のいずれか一方に設けられたセンサードグと、前記取付金具ベース側又は前記プリンタユニット側の他方に設けられたポジションセンサーと、より構成されていることを特徴とする請求項２に記載のサーマルヘッドプリンタユニット。
【発明の詳細な説明】
【０００１】
【発明の属する技術分野】
本発明はサーマルヘッドと熱転写リボンテープとを具えたプリンタユニットに関し、特に、プリンタユニットを熱転写リボンテープの幅方向に変位させうるように構成したサーマルヘッドプリンタユニットに関する。
【０００２】
【従来の技術】
サーマルヘッドプリンタユニットでは、印字対象物の送り方向に直交する幅方向の印字位置が印字対象物によって変わるため、または、特開２００１−４７７１５号公報や特開２００２−５２７７３号公報に示すように熱転写リボンテープを幅方向の全域に亙って有効に利用するためにプリンタユニットを熱転写リボンテープの幅方向に変位させることが必要になる。
【０００３】
このように、幅方向の印字位置を変えるように構成した従来のサーマルヘッドプリンタユニットでは、プリンタユニットの位置を熱転写リボンテープの幅方向に変位させるための駆動装置がプリンタユニットの外に取り付けられていて、プリンタユニットの外に設けた駆動装置によってプリンタユニットの位置を変える構成となっていた。
【０００４】
例えば、プリンタユニットの外に設けたモータによって長いねじシャフトを回転させ、そのねじシャフトの回転によってプリンタユニットを変位させる構成となっていた。このように従来のプリンタユニットでは、駆動装置が大型のものになり、また、プリンタユニットの外からプリンタユニットまで変位駆動力を伝達するための駆動力伝達機構が必要となっていて構造が複雑になっていた。
【０００５】
【発明が解決しようとする課題】
本発明は、サーマルヘッドと熱転写リボンテープとを具えたプリンタユニットにおいて、プリンタユニットを熱転写リボンテープの幅方向に変位させる機構を簡素化したプリンタユニットを提供することを課題としている。
【０００６】
【課題を解決するための手段】
本発明は前記課題を解決するため、サーマルヘッドと熱転写リボンテープとを具えたプリンタユニットであって、同プリンタユニットは、前記プリンタユニットを前記熱転写リボンテープの幅方向に変位させるための駆動装置と、前記プリンタユニットの位置を検出する位置検出器とを備え、前記駆動装置は前記位置検出器からの位置信号に基づいて制御され、自走式となるように構成したサーマルヘッドプリンタユニットを提供する。
【０００７】
このように構成した本発明のサーマルヘッドプリンタユニットにおいては、プリンタユニットを前記熱転写リボンテープの幅方向に変位させるための駆動装置がプリンタユニット自体に備えられて自走式となっており、従来のもののようにプリンタユニットの外側の駆動装置からサーマルヘッドを駆動するものと違って、駆動力の伝達系統、及びプリンタユニットから駆動装置への配線などが簡単になる。また、プリンタユニット取り付け金具を簡略化できるとともに共通化できるので、プリンタ装置全体の構成を簡単化してその製造コストを削減することができる。
【０００８】
本発明のサーマルヘッドプリンタユニットにおいては、プリンタユニットを熱転写リボンテープの幅方向に変位させるための前記した駆動装置を、モータと、同モータによって回転され取付金具ベース側に設けられたラックと噛み合うピニオンと、を有する簡単な構造にすることができる。
【０００９】
また、本発明のサーマルヘッドプリンタユニットにおいて採用するプリンタユニットの位置検出器としては、前記した取付金具ベース側又はプリンタユニット側のいずれか一方に設けられたセンサードグと、取付金具ベース側又はプリンタユニット側の他方に設けられたポジションセンサーとより構成された簡単な構成のものとすることができる。
【００１０】
【発明の実施の形態】
以下、本発明によるサーマルヘッドプリンタユニットを図１〜図３に示した実施の一形態に基づいて具体的に説明する。
図において、１は取付金具ベースであって、この取付金具ベース１にはスライドガイドレール４が取り付けられている。このスライドガイドレール４には、プリンタユニット１０に取り付けられたスライドガイドブロック５がスライドガイドレール４に沿って摺動可能に嵌め合わされていて、サーマルヘッドプリンタユニット１０をスライドガイドレール４に沿って熱転写リボンテープの幅方向ヘ変位可能に支持する。
【００１１】
２はラックギヤで、取付金具ベース１に取り付けられている。３はピニオンギアで、ラックギヤ２と噛み合っている。６はモータで、プリンタユニット１０に取り付けられており、モータ６の回転軸にはピニオンギア３が取り付けられていて、モータ６の回転によってピニオンギア３が回転されると、ラックギヤ２と噛み合っているピニオンギア３はラックギヤ２に沿って変位することになる。
【００１２】
１３は位置検出用のセンサードグで、このセンサードグ１３は、取付金具ベース１の適宜の位置に取り付けられている。１２はポジションセンサーで、プリンタユニット１０に取り付けられ、取付金具ベース１に取り付けられたセンサードグ１３に対するプリンタユニット１０の位置を検出する。
【００１３】
熱転写リボンテープ１４は、熱転写リボンテープ原反８から巻き戻され熱転写リボンテープ巻取７へ巻き取られる。９はサーマルヘッドで、熱転写リボンテープ原反８と熱転写リボンテープ巻取７及びサーマルヘッド９は共にプリンタユニット１０に取り付けられている。
１１はプラテンローラを示し、サーマルヘッド９とプラテンローラ１１の間に熱転写リボンテープ１４と印字対象シート１５を挟んで印字対象シート１５に対し印字を行う。
【００１４】
図示した本発明の実施形態によるプリンタユニット１０は、以上の構成を有しており、プリンタユニット１０には自走用の駆動装置としてのモータ６が設けられていて、ポジションセンサー１２からの信号によってモータ６を回転させ、このモータ６の回転によりピニオンギア３を回転させ、ピニオンギア３がラックギア２に沿って移動することによってプリンタユニット１０は取付金具ベース１に対して変位することとなる。こうして、プリンタユニット１０は取付金具ベース１に対して熱転写リボンテープ１４の幅方向（図２の左右方向で印字対象シート１５の送り方向に直交する方向）に変位され熱転写リボンテープ１４の幅方向の適宜の位置に設置することができる。
【００１５】
以上のように、図示した実施の形態によるプリンタユニット１０は自走式で取付金具ベース１に対して変位し、印字対象シート１５の適宜の幅方向を取ることができる。
【００１６】
以上、本発明によるプリンタユニットを図示した実施の一形態に基づいて具体的に説明したが、本発明はこの実施形態に限定されるものではなく、特許請求の範囲に記載の本発明の範囲内で種々の変形、変更を加えてよいことはいうまでもない。
【００１７】
例えば、図示した実施の形態では、プリンタユニット１０を熱転写リボンテープ１４の幅方向に変位させる手段として、ラックギア２とピニオンギア３を用いているが、ラックギア２とピニオンギア３に限らず種々の適宜の構成のものを採用してよい。
【００１８】
また、図示した実施の形態では、プリンタユニット１０の位置検出のための位置検出器として、取付金具ベース１側に設けられたセンサードグ１３と、プリンタユニット１０側に設けられたポジションセンサー１２とより構成されたものを用いているが、機器配置によっては、プリンタユニット１０側にセンサードグ１３を設け、取付金具ベース１側にポジションセンサードグを設けた構成としてもよい。
【００１９】
更に、図示した実施の形態では、プリンタユニット１０の位置検出のためにセンサードグ１３を使ったポジションセンサー１２を採用しているが、これに限定されるものではなく、他の適宜の位置検出手段を採用してよい。
【００２０】
更にまた、図示した実施の形態では、モータ６とポジションセンサー１２は、プリンタユニット１０に取り付けられているが、モータとポジションセンサーをユニット化してプリンタユニットに組込みと、取り外しが容易に行えるようにしてもよい。
【００２１】
【発明の効果】
以上説明したように、本発明は、サーマルヘッドと熱転写リボンテープとを具えたプリンタユニットであって、同プリンタユニットは、前記プリンタユニットを前記熱転写リボンテープの幅方向に変位させるための駆動装置と、前記プリンタユニットの位置を検出する位置検出器とを備え、前記駆動装置は前記位置検出器からの位置信号に基づいて制御され、自走式となるように構成したサーマルヘッドプリンタユニットを提供する。
【００２２】
本発明のサーマルヘッドプリンタユニットにおいては、プリンタユニットを前記熱転写リボンテープの幅方向に変位させるための駆動装置が前記したように、プリンタユニット自体に備えられて自走式となっており、従来のようにプリンタユニットの外側の駆動装置からサーマルヘッドを駆動するものと違って、駆動力の伝達系統、及びプリンタユニットから駆動装置への配線などが簡単になる。
また、プリンタユニット取り付け金具を簡略化できるとともに共通化できるので、プリンタ装置全体の構成を簡単化してその製造コストを削減することができる。
【００２３】
本発明のサーマルヘッドプリンタユニットにおいて、プリンタユニットを熱転写リボンテープの幅方向に変位させるための前記した駆動装置を、モータと、同モータによって回転され取付金具ベース側に設けられたラックと噛み合うピニオンとを有する構造としたものは、構造が簡単になる。
【００２４】
また、本発明のサーマルヘッドプリンタユニットにおけるプリンタユニットの位置検出器を、前記した取付金具ベース側又はプリンタユニット側のいずれか一方に設けられたセンサードグと、取付金具ベース側又はプリンタユニット側の他方に設けられたポジションセンサーとより構成したものは、簡単な構成のものとなる。
【図面の簡単な説明】
【図１】本発明の実施の一形態によるプリンタユニットの構成を示す斜視図。
【図２】図１に示したプリンタユニットのＡ矢視方向の側面図。
【図３】図１に示したプリンタユニットのＢ矢視方向の側面図。
【符号の説明】
１　　取付金具ベース
２　　　　ラックギア
３　　　　ピニオンギア
４　　　　スライドガイドレール
５　　　　スライドガイドブロック
６　　モータ
７　　熱転写リボンテープ巻取
８　　熱転写リボンテープ原反
９　　　　サーマルヘッド
１０　　プリンタユニット
１１　　プラテンローラ
１２　　ポジションセンサー
１３　　センサードグ
１４　　熱転写リボンテープ
１５　　印字対象シート
【図１】
2004142137.tif 000003
【図２】
2004142137.tif 000004
【図３】
2004142137.tif 000005